(57)【要約】【課題】ファンモータの数を増やすことなく故障状況に応じて対応することができる異常検知制御装置、画像形成装置、異常検知制御方法、画像形成方法、異常検知制御プログラム、画像形成プログラム、及び記録媒体を提供する。【解決手段】異常が生じると正常なファンモータ停止を含めた機械動作停止時期を稼動状況に合わせて制御する制御部を備えたことにより、予備のファンモータを設けたり、予備のファンモータの動作を制御したりする必要がなく、稼働状況に合わせた現状のファンモータの制御だけで故障状況に応じて対応することができる。【選択図】図１
2007206652.tif 000002
【特許請求の範囲】
【請求項１】
複数のファンモータと、前記ファンモータを同一駆動させるモータ制御部と、前記ファンモータの異常を検知するモータ異常検知部とを有する異常検知制御装置であって、
前記異常が生じると正常なファンモータ停止を含めた機械動作停止時期を稼動状況に合わせて制御する制御部を備えたことを特徴とする異常検知制御装置。
【請求項２】
複数のファンモータと、複数のファンモータを同一駆動させる１つのモータ制御部と、いずれかのファンモータの異常を検知する１つのモータ異常検知部とを有する異常検知制御装置であって、
複数のファンモータに対し１つのモータ制御部及び1つの異常検知回路で同一制御し、いずれかのファンモータに異常が生じた場合、正常なファンモータ停止を含めた機械動作停止時期を現在の装置本体の稼動状況に合わせて制御する制御部を備えたことを特徴とする異常検知制御装置。
【請求項３】
複数のファンモータと、前記ファンモータを同一駆動するモータ制御部と、前記ファンモータの異常を検知するモータ異常検知部とを有する異常検知制御装置であって、
前記異常が生じると正常なファンモータの風量を増加させると共に、装置本体の動作を続行させる制御部を備えたことを特徴とする異常検知制御装置。
【請求項４】
複数のファンモータと、複数のファンモータを同一駆動させる１つのモータ制御部と、いずれかのファンモータの異常を検知する１つのモータ異常検知部とを有する異常検知制御装置であって、
正常なファンモータの風量を増加させるための１つのモータ電流制御部と、
いずれかのファンモータに異常が生じた場合、前記モータ電流制御部により正常なファンモータの風量を増加させると共に、装置本体の動作を続行させる制御部を備えたことを特徴とする異常検知制御装置。
【請求項５】
複数のファンモータと、前記ファンモータと同一個数で各ファンモータを１対１で制御するモータ制御部と、前記ファンモータの異常を検知するモータ異常検知部とを有する異常検知制御装置であって、
前記異常が生じると異常なファンモータが影響を及ぼす機械動作のみを停止し、正常な機械動作は続行させる制御部を備えたことを特徴とする異常検知制御装置。
【請求項６】
複数のファンモータと、複数ファンモータと同一個数で各ファンモータを１対１で制御するファンモータ制御部と、いずれかのファンモータの異常を検知する１つのファンモータ異常検知部とを有する異常検知制御装置であって、
いずれかのファンモータに異常が生じた場合、その異常なファンモータが影響を及ぼす機械動作のみを停止し、正常な機械動作は続行させる制御部を備えたことを特徴とする異常検知制御装置。
【請求項７】
複数のファンモータと、前記ファンモータを同一駆動させるモータ制御部と、前記ファンモータと同一個数で各ファンモータと１対１で対応し前記ファンモータの異常を検知するモータ異常検知部とを有する異常検知制御装置であって、
前記異常が生じると異常なファンモータが影響を及ぼす機械動作のみを停止し、正常な機械動作は続行させる制御部を備えたことを特徴とする異常検知制御装置。
【請求項８】
複数のファンモータと、複数のファンモータを同一駆動させる１つのファンモータ制御部と、複数ファンモータと同一個数で各ファンモータと１対１で対応しファンモータの異常を検知するファンモータ異常検知部とを有する異常検知制御装置であって、
いずれかのファンモータに異常が生じた場合、その異常なファンモータが影響を及ぼす機械動作のみを停止し、正常な機械動作は続行させる制御部を備えたことを特徴とする異常検知制御装置。
【請求項９】
複数のファンモータと、前記ファンモータを同一駆動させるモータ制御部と、前記ファンモータから入力された電圧値の違いからファンモータの異常を検知するモータ異常検知部とを有する異常検知制御装置であって、
前記異常が生じると異常なファンモータが影響を及ぼす機械動作のみを停止し、正常な機械動作は続行させる制御部を備えたことを特徴とする異常検知制御装置。
【請求項１０】
複数のファンモータと、複数のファンモータを同一駆動させる１つのファンモータ制御部と、入力部にＡ／Ｄコンバータを有し、いずれかのファンモータから入力された電圧値の違いからファンモータの異常を検知する１つのファンモータ異常検知部とを有する異常検知制御装置であって、
いずれかのファンモータに異常が生じた場合、その故障したファンモータが影響を及ぼす機械動作のみを停止させ、正常な機械動作は続行させる制御部を備えたことを特徴とする異常検知制御装置。
【請求項１１】
請求項１から１０のいずれか１項の異常検知制御装置を用いたことを特徴とする画像形成装置。
【請求項１２】
複数のファンモータの異常を検知して制御する異常検知制御方法であって、
前記異常が生じると正常なファンモータ停止を含めた機械動作停止時期を稼動状況に合わせて制御することを特徴とする異常検知制御方法。
【請求項１３】
複数のファンモータを同一駆動させ、いずれかのファンモータの異常を検知する異常検知制御方法であって、
複数のファンモータに対し１つのモータ制御部及び１つの異常検知回路で同一制御し、いずれかのファンモータに異常が生じた場合、正常なファンモータ停止を含めた機械動作停止時期を現在の装置本体の稼動状況に合わせて制御することを特徴とする異常検知制御方法。
【請求項１４】
複数のファンモータの異常を検知して制御する異常検知制御方法であって、
前記異常が生じると正常なファンモータの風量を増加させると共に、装置本体の動作を続行させることを特徴とする異常検知制御方法。
【請求項１５】
複数のファンモータを同一駆動させ、いずれかのファンモータの異常を検知する異常検知制御方法であって、
いずれかのファンモータに異常が生じた場合、正常なファンモータの風量を増加させると共に、装置本体の動作を続行させることを特徴とする異常検知制御方法。
【請求項１６】
複数のファンモータを１対１で制御し、前記ファンモータの異常を検知して制御する異常検知制御方法であって、
前記異常が生じると異常なファンモータが影響を及ぼす機械動作のみを停止し、正常な機械動作は続行させることを特徴とする異常検知制御方法。
【請求項１７】
複数のファンモータを１対１で制御し、いずれかのファンモータの異常を検知して制御する異常検知制御方法であって、
いずれかのファンモータに異常が生じた場合、その異常なファンモータが影響を及ぼす機械動作のみを停止し、正常な機械動作は続行させることを特徴とする異常検知制御方法。
【請求項１８】
複数のファンモータを同一駆動させ、前記ファンモータと同一個数で各ファンモータと１対１で対応し前記ファンモータの異常を検知して制御する異常検知制御方法であって、
前記異常が生じると異常なファンモータが影響を及ぼす機械動作のみを停止し、正常な機械動作は続行させることを特徴とする異常検知制御方法。
【請求項１９】
複数のファンモータを同一駆動させ、複数ファンモータと同一個数で各ファンモータと１対１で対応しファンモータの異常を検知して制御する異常検知制御方法であって、
いずれかのファンモータに異常が生じた場合、その異常なファンモータが影響を及ぼす機械動作のみを停止し、正常な機械動作は続行させることを特徴とする異常検知制御方法。
【請求項２０】
複数のファンモータを同一駆動させ、前記ファンモータから入力された電圧値の違いからファンモータの異常を検知して制御する異常検知制御方法であって、
前記異常が生じると異常なファンモータが影響を及ぼす機械動作のみを停止し、正常な機械動作は続行させることを特徴とする異常検知制御方法。
【請求項２１】
複数のファンモータを同一駆動させ、いずれかのファンモータから入力された電圧値の違いからファンモータの異常を検知して制御する異常検知制御方法であって、
いずれかのファンモータに異常が生じた場合、その故障したファンモータが影響を及ぼす機械動作のみを停止させ、正常な機械動作は続行させることを特徴とする異常検知制御方法。
【請求項２２】
請求項１２から２１のいずれか１項の異常検知制御方法を用いることを特徴とする画像形成方法。
【請求項２３】
実質的なコンピュータに、複数のファンモータの異常を検知して制御する処理を実行させる異常検知制御プログラムであって、
前記コンピュータに、前記異常が生じると正常なファンモータ停止を含めた機械動作停止時期を稼動状況に合わせて制御する処理を実行させることを特徴とする異常検知制御プログラム。
【請求項２４】
実質的なコンピュータに、複数のファンモータを同一駆動させる処理、いずれかのファンモータの異常を検知する処理を実行させる異常検知制御プログラムであって、
前記コンピュータに、複数のファンモータに対し１つのモータ制御部及び１つの異常検知回路で同一制御する処理、いずれかのファンモータに異常が生じた場合、正常なファンモータ停止を含めた機械動作停止時期を現在の装置本体の稼動状況に合わせて制御する処理を実行させることを特徴とする異常検知制御プログラム。
【請求項２５】
実質的なコンピュータに、複数のファンモータの異常を検知して制御する処理を実行させる異常検知制御プログラムであって、
前記コンピュータに、前記異常が生じると正常なファンモータの風量を増加させると共に、装置本体の動作を続行させる処理を実行させることを特徴とする異常検知制御プログラム。
【請求項２６】
実質的なコンピュータに、複数のファンモータを同一駆動させる処理、いずれかのファンモータの異常を検知する処理を実行させる異常検知制御プログラムであって、
前記コンピュータに、いずれかのファンモータに異常が生じた場合、正常なファンモータの風量を増加させると共に、装置本体の動作を続行させる処理を実行させることを特徴とする異常検知制御プログラム。
【請求項２７】
実質的なコンピュータに、複数のファンモータを１対１で制御する処理、前記ファンモータの異常を検知して制御する処理を実行させる異常検知制御プログラムであって、
前記コンピュータに、前記異常が生じると異常なファンモータが影響を及ぼす機械動作のみを停止する処理、正常な機械動作は続行させる処理を実行させることを特徴とする異常検知制御プログラム。
【請求項２８】
実質的なコンピュータに、複数のファンモータを１対１で制御する処理、いずれかのファンモータの異常を検知して制御する処理を実行させる異常検知制御プログラムであって、
前記コンピュータに、いずれかのファンモータに異常が生じた場合、その異常なファンモータが影響を及ぼす機械動作のみを停止し、正常な機械動作は続行させる処理を実行させることを特徴とする異常検知制御プログラム。
【請求項２９】
実質的なコンピュータに、複数のファンモータを同一駆動させる処理、前記ファンモータと同一個数で各ファンモータと１対１で対応し前記ファンモータの異常を検知して制御する処理を実行させる異常検知制御プログラムであって、
前記コンピュータに、前記異常が生じると異常なファンモータが影響を及ぼす機械動作のみを停止し、正常な機械動作は続行させる処理を実行させることを特徴とする異常検知制御プログラム。
【請求項３０】
実質的なコンピュータに、複数のファンモータを同一駆動させる処理、複数ファンモータと同一個数で各ファンモータと１対１で対応しファンモータの異常を検知して制御する処理を実行させる異常検知制御プログラムであって、
前記コンピュータに、いずれかのファンモータに異常が生じた場合、その異常なファンモータが影響を及ぼす機械動作のみを停止する処理、正常な機械動作は続行させる処理を実行させることを特徴とする異常検知制御プログラム。
【請求項３１】
実質的なコンピュータに、複数のファンモータを同一駆動させる処理、前記ファンモータから入力された電圧値の違いからファンモータの異常を検知して制御する処理を実行させる異常検知制御プログラムであって、
前記コンピュータに、前記異常が生じると異常なファンモータが影響を及ぼす機械動作のみを停止し、正常な機械動作は続行させる処理を実行させることを特徴とする異常検知制御プログラム。
【請求項３２】
実質的なコンピュータに、複数のファンモータを同一駆動させる処理、いずれかのファンモータから入力された電圧値の違いからファンモータの異常を検知して制御する処理を実行させる異常検知制御プログラムであって、
前記コンピュータに、いずれかのファンモータに異常が生じた場合、その故障したファンモータが影響を及ぼす機械動作のみを停止させる処理、正常な機械動作は続行させる処理を実行させることを特徴とする異常検知制御プログラム。
【請求項３３】
請求項２３から３２のいずれか１項の異常検知制御プログラムを用いることを特徴とする画像形成プログラム。
【請求項３４】
実質的なコンピュータに、複数のファンモータの異常を検知して制御する処理を実行させる異常検知制御プログラムを記録した記録媒体であって、
前記コンピュータに、前記異常が生じると正常なファンモータ停止を含めた機械動作停止時期を稼動状況に合わせて制御する処理を実行させる異常検知制御プログラムを記録したことを特徴とする記録媒体。
【請求項３５】
実質的なコンピュータに、複数のファンモータを同一駆動させる処理、いずれかのファンモータの異常を検知する処理を実行させる異常検知制御プログラムを記録した記録媒体であって、
前記コンピュータに、複数のファンモータに対し１つのモータ制御部及び１つの異常検知回路で同一制御する処理、いずれかのファンモータに異常が生じた場合、正常なファンモータ停止を含めた機械動作停止時期を現在の装置本体の稼動状況に合わせて制御する処理を実行させる異常検知制御プログラムを記録したことを特徴とする記録媒体。
【請求項３６】
実質的なコンピュータに、複数のファンモータの異常を検知して制御する処理を実行させる異常検知制御プログラムを記録した記録媒体であって、
前記コンピュータに、前記異常が生じると正常なファンモータの風量を増加させると共に、装置本体の動作を続行させる処理を実行させる異常検知制御プログラムを記録したことを特徴とする記録媒体。
【請求項３７】
実質的なコンピュータに、複数のファンモータを同一駆動させる処理、いずれかのファンモータの異常を検知する処理を実行させる異常検知制御プログラムを記録した記録媒体であって、
前記コンピュータに、いずれかのファンモータに異常が生じた場合、正常なファンモータの風量を増加させると共に、装置本体の動作を続行させる処理を実行させる異常検知制御プログラムを記録したことを特徴とする記録媒体。
【請求項３８】
実質的なコンピュータに、複数のファンモータを１対１で制御する処理、前記ファンモータの異常を検知して制御する処理を実行させる異常検知制御プログラムを記録した記録媒体であって、
前記コンピュータに、前記異常が生じると異常なファンモータが影響を及ぼす機械動作のみを停止する処理、正常な機械動作は続行させる処理を実行させる異常検知制御プログラムを記録したことを特徴とする記録媒体。
【請求項３９】
実質的なコンピュータに、複数のファンモータを１対１で制御する処理、いずれかのファンモータの異常を検知して制御する処理を実行させる異常検知制御プログラムを記録した記録媒体であって、
前記コンピュータに、いずれかのファンモータに異常が生じた場合、その異常なファンモータが影響を及ぼす機械動作のみを停止し、正常な機械動作は続行させる処理を実行させる異常検知制御プログラムを記録したことを特徴とする記録媒体。
【請求項４０】
実質的なコンピュータに、複数のファンモータを同一駆動させる処理、前記ファンモータと同一個数で各ファンモータと１対１で対応し前記ファンモータの異常を検知して制御する処理を実行させる異常検知制御プログラムを記録した記録媒体であって、
前記コンピュータに、前記異常が生じると異常なファンモータが影響を及ぼす機械動作のみを停止し、正常な機械動作は続行させる処理を実行させる異常検知制御プログラムを記録したことを特徴とする記録媒体。
【請求項４１】
実質的なコンピュータに、複数のファンモータを同一駆動させる処理、複数ファンモータと同一個数で各ファンモータと１対１で対応しファンモータの異常を検知して制御する処理を実行させる異常検知制御プログラムを記録した記録媒体であって、
前記コンピュータに、いずれかのファンモータに異常が生じた場合、その異常なファンモータが影響を及ぼす機械動作のみを停止する処理、正常な機械動作は続行させる処理を実行させる異常検知制御プログラムを記録したことを特徴とする記録媒体。
【請求項４２】
実質的なコンピュータに、複数のファンモータを同一駆動させる処理、前記ファンモータから入力された電圧値の違いからファンモータの異常を検知して制御する処理を実行させる異常検知制御プログラムを記録した記録媒体であって、
前記コンピュータに、前記異常が生じると異常なファンモータが影響を及ぼす機械動作のみを停止し、正常な機械動作は続行させる処理を実行させる異常検知制御プログラムを記録したことを特徴とする記録媒体。
【請求項４３】
実質的なコンピュータに、複数のファンモータを同一駆動させる処理、いずれかのファンモータから入力された電圧値の違いからファンモータの異常を検知して制御する処理を実行させる異常検知制御プログラムを記録した記録媒体であって、
前記コンピュータに、いずれかのファンモータに異常が生じた場合、その故障したファンモータが影響を及ぼす機械動作のみを停止させる処理、正常な機械動作は続行させる処理を実行させる異常検知制御プログラムを記録したことを特徴とする記録媒体。
【請求項４４】
請求項３４から４３のいずれか１項の異常検知制御プログラムを記録したことを特徴とする記録媒体。
【発明の詳細な説明】
【技術分野】
【０００１】
本発明は、画像形成装置やコンピュータ等の電子装置の異常検知制御装置、画像形成装置、異常検知制御方法、画像形成方法、異常検知制御プログラム、画像形成プログラム、及び記録媒体に関する。
【背景技術】
【０００２】
プリンタ、ファクシミリ、複写機等の画像形成装置においては定着用の加熱手段を搭載しており、コンピュータにはＣＰＵを搭載しているため、少なくとも一つの冷却用のファンによる冷却が行われている。
例えば、ファンによる強制空冷を使用する電子装置類の強制空冷制御方式に関し、冷却用のファンを回転させるファンモータに異常が生じた場合に予備のファンを回転させる予備のファンモータを動作させて冷却効果を保ち、電子装置の運転に影響を与えない強制空冷方式を提供することが行われている。
これは、動作の異常を表示する異常表示部を内蔵する複数の冷却用のファンを備えた電子装置であって、ファンモータに故障等の異常が発生した場合に動作させることができる予備のファンモータと、複数のファンモータのいずれかの異常表示部より異常表示がなされた場合に警報表示装置に対して異常表示信号を送出するファン異常検出手段と、複数のファンモータの内の複数個の異常表示部より異常表示がなされた場合に、複数のファンモータに異常が発生したことを検出して予備のファンモータを起動させる複数ファン異常検出手段を備えたものである（例えば特許文献１参照）。
【特許文献１】特開平３−２５２６７号公報
【発明の開示】
【発明が解決しようとする課題】
【０００３】
上述のように電子装置で発生する熱対策として冷却用のファン及びファンモータを用いた空冷式の冷却手段が一般的によく用いられている。また複数箇所を冷却する目的で使用するファン（冷却用のファン及びファンモータ）の数は増える傾向にある。
このため、熱対策としてファンを使用する以上、ファンモータの異常発生時のことも考慮する必要があり、複数のファンを使用している場合各ファンに対しファンモータを制御するファン制御部やファン異常検知部を一対一で用意してファン異常時に対応するという手段が一般的に取られているが、その場合ファンの数が増えるとそれに対応してファン制御部やファン異常検知部の数も増え、コスト高になるという問題がある。
また、コスト高の問題とは別にファンモータの異常時に急激に電子装置の機械動作を停止すると、例えば電子装置の機械部分が動作中の場合、電子装置が紙ジャムの状態で止まってしまいユーザに余計な負担を掛けてしまうという問題がある。
さらに、ファン異常発生時においても例えばカスタマーエンジニアが修理に来るまでの間強制的に電子装置を稼動させ、故障を拡大させてしまうという問題がある。
さらに、電子装置内での各ファンの配置場所がある程度限定されてしまうので、ファン異常発生時においても例えばカスタマーエンジニアが修理に来る間まで一部の機能に限定して引き続き電子装置を稼動させ、故障を拡大させてしまうという問題がある。
【０００４】
そこで、本発明の目的は、ファンモータの数を増やすことなく故障状況に応じて対応することができる異常検知制御装置、画像形成装置、異常検知制御方法、画像形成方法、異常検知制御プログラム、画像形成プログラム、及び記録媒体を提供することにある。
【課題を解決するための手段】
【０００５】
上記課題を解決するため、請求項１に記載の発明は、複数のファンモータと、前記ファンモータを同一駆動させるモータ制御部と、前記ファンモータの異常を検知するモータ異常検知部とを有する異常検知制御装置であって、前記異常が生じると正常なファンモータ停止を含めた機械動作停止時期を稼動状況に合わせて制御する制御部を備えたことを特徴とする。
【０００６】
請求項１に記載の発明によれば、異常が生じると正常なファンモータ停止を含めた機械動作停止時期を稼動状況に合わせて制御する制御部を備えたことにより、予備のファンモータを設けたり、予備のファンモータの動作を制御したりする必要がなく、稼働状況に合わせた現状のファンモータの制御だけで故障状況に応じて対応することができる。
【０００７】
請求項２に記載の発明は、複数のファンモータと、複数のファンモータを同一駆動させる１つのモータ制御部と、いずれかのファンモータの異常を検知する１つのモータ異常検知部とを有する異常検知制御装置であって、複数のファンモータに対し１つのモータ制御部及び１つの異常検知回路で同一制御し、いずれかのファンモータに異常が生じた場合、正常なファンモータ停止を含めた機械動作停止時期を現在の装置本体の稼動状況に合わせて制御する制御部を備えたことを特徴とする。
【０００８】
請求項２に記載の発明によれば、複数のファンモータに対し１つのモータ制御部及び１つの異常検知回路で同一制御し、いずれかのファンモータに異常が生じた場合、正常なファンモータ停止を含めた機械動作停止時期を現在の装置本体の稼動状況に合わせて制御する制御部を備えたことにより、予備のファンモータを設けたり、予備のファンモータの動作を制御したりする必要がなく、稼働状況に合わせた現状のファンモータを１つのモータ制御部及び１つの異常検知回路による制御だけで故障状況に応じて対応することができる。
【０００９】
請求項３に記載の発明は、複数のファンモータと、前記ファンモータを同一駆動するモータ制御部と、前記ファンモータの異常を検知するモータ異常検知部とを有する異常検知制御装置であって、前記異常が生じると正常なファンモータの風量を増加させると共に、装置本体の動作を続行させる制御部を備えたことを特徴とする。
【００１０】
請求項３に記載の発明によれば、異常が生じると正常なファンモータの風量を増加させると共に、装置本体の動作を続行させる制御部を備えたことにより、予備のファンモータを設けたり、予備のファンモータの動作を制御したりする必要がなく、現状のファンモータの風量の制御だけで故障状況に応じて対応することができる。
【００１１】
請求項４に記載の発明は、複数のファンモータと、複数のファンモータを同一駆動させる１つのモータ制御部と、いずれかのファンモータの異常を検知する１つのモータ異常検知部とを有する異常検知制御装置であって、正常なファンモータの風量を増加させるための１つのモータ電流制御部と、いずれかのファンモータに異常が生じた場合、前記モータ電流制御部により正常なファンモータの風量を増加させると共に、装置本体の動作を続行させる制御部を備えたことを特徴とする。
【００１２】
請求項４に記載の発明によれば、正常なファンモータの風量を増加させるための１つのモータ電流制御部と、いずれかのファンモータに異常が生じた場合、モータ電流制御部により正常なファンモータの風量を増加させると共に、装置本体の動作を続行させる制御部を備えたことにより、予備のファンモータを設けたり、予備のファンモータの動作を制御したりする必要がなく、装置本体の動作を続行させると共に現状のファンモータの風量の制御だけで故障状況に応じて対応することができる。
【００１３】
請求項５に記載の発明は、複数のファンモータと、前記ファンモータと同一個数で各ファンモータを１対１で制御するモータ制御部と、前記ファンモータの異常を検知するモータ異常検知部とを有する異常検知制御装置であって、前記異常が生じると異常なファンモータが影響を及ぼす機械動作のみを停止し、正常な機械動作は続行させる制御部を備えたことを特徴とする。
【００１４】
請求項５に記載の発明によれば、異常が生じると異常なファンモータが影響を及ぼす機械動作のみを停止し、正常な機械動作は続行させる制御部を備えたことにより、予備のファンモータを設けたり、予備のファンモータの動作を制御したりする必要がなく、異常なファンモータが影響を及ぼす機械動作のみを停止制御するだけで故障状況に応じて対応することができる。
【００１５】
請求項６に記載の発明は、複数のファンモータと、複数ファンモータと同一個数で各ファンモータを１対１で制御するファンモータ制御部と、いずれかのファンモータの異常を検知する１つのファンモータ異常検知部とを有する異常検知制御装置であって、いずれかのファンモータに異常が生じた場合、その異常なファンモータが影響を及ぼす機械動作のみを停止し、正常な機械動作は続行させる制御部を備えたことを特徴とする。
【００１６】
請求項６に記載の発明によれば、いずれかのファンモータに異常が生じた場合、その異常なファンモータが影響を及ぼす機械動作のみを停止し、正常な機械動作は続行させる制御部を備えたことにより、予備のファンモータを設けたり、予備のファンモータの動作を制御したりする必要がなく、異常なファンモータが影響を及ぼす機械動作のみ停止制御するだけで故障状況に応じて対応することができる。
【００１７】
請求項７に記載の発明は、複数のファンモータと、前記ファンモータを同一駆動させるモータ制御部と、前記ファンモータと同一個数で各ファンモータと１対１で対応し前記ファンモータの異常を検知するモータ異常検知部とを有する異常検知制御装置であって、前記異常が生じると異常なファンモータが影響を及ぼす機械動作のみを停止し、正常な機械動作は続行させる制御部を備えたことを特徴とする。
【００１８】
請求項７に記載の発明によれば、異常が生じると異常なファンモータが影響を及ぼす機械動作のみを停止し、正常な機械動作は続行させる制御部を備えたことにより、予備のファンモータを設けたり、予備のファンモータの動作を制御したりする必要がなく、異常なファンモータが影響を及ぼす機械動作のみ停止制御するだけで故障状況に応じて対応することができる。
【００１９】
請求項８に記載の発明は、複数のファンモータと、複数のファンモータを同一駆動させる１つのファンモータ制御部と、複数ファンモータと同一個数で各ファンモータと１対１で対応しファンモータの異常を検知するファンモータ異常検知部とを有する異常検知制御装置であって、いずれかのファンモータに異常が生じた場合、その異常なファンモータが影響を及ぼす機械動作のみを停止し、正常な機械動作は続行させる制御部を備えたことを特徴とする。
【００２０】
請求項８に記載の発明によれば、いずれかのファンモータに異常が生じた場合、その異常なファンモータが影響を及ぼす機械動作のみを停止し、正常な機械動作は続行させる制御部を備えたことにより、予備のファンモータを設けたり、予備のファンモータの動作を制御したりする必要がなく、異常なファンモータが影響を及ぼす機械動作のみ停止制御するだけで故障状況に応じて対応することができる。
【００２１】
請求項９に記載の発明は、複数のファンモータと、前記ファンモータを同一駆動させるモータ制御部と、前記ファンモータから入力された電圧値の違いからファンモータの異常を検知するモータ異常検知部とを有する異常検知制御装置であって、前記異常が生じると異常なファンモータが影響を及ぼす機械動作のみを停止し、正常な機械動作は続行させる制御部を備えたことを特徴とする。
【００２２】
請求項９に記載の発明によれば、異常が生じると異常なファンモータが影響を及ぼす機械動作のみを停止し、正常な機械動作は続行させる制御部を備えたことにより、予備のファンモータの動作を制御したりする必要がなく、異常なファンモータが影響を及ぼす機械動作のみ停止制御するだけで故障状況に応じて対応することができる。
【００２３】
請求項１０に記載の発明は、複数のファンモータと、複数のファンモータを同一駆動させる１つのファンモータ制御部と、入力部にＡ／Ｄコンバータを有し、いずれかのファンモータから入力された電圧値の違いからファンモータの異常を検知する１つのファンモータ異常検知部とを有する異常検知制御装置であって、いずれかのファンモータに異常が生じた場合、その故障したファンモータが影響を及ぼす機械動作のみを停止させ、正常な機械動作は続行させる制御部を備えたことを特徴とする。
【００２４】
請求項１０に記載の発明によれば、いずれかのファンモータに異常が生じた場合、その故障したファンモータが影響を及ぼす機械動作のみを停止させ、正常な機械動作は続行させる制御部を備えたことにより、予備のファンモータの動作を制御したりする必要がなく、異常なファンモータが影響を及ぼす機械動作のみ停止制御するだけで故障状況に応じて対応することができる。
【００２５】
請求項１１に記載の発明は、請求項１から１０のいずれか１項の異常検知制御装置を用いた画像形成装置であることを特徴とする。
【００２６】
請求項１１に記載の発明によれば、請求項１から１０のいずれか１項の異常検知制御装置を用いたことにより、ファンモータの数を増やすことなく故障状況に応じて対応することができる。
【００２７】
請求項１２に記載の発明は、複数のファンモータの異常を検知して制御する異常検知制御方法であって、前記異常が生じると正常なファンモータ停止を含めた機械動作停止時期を稼動状況に合わせて制御することを特徴とする。
【００２８】
請求項１２に記載の発明によれば、異常が生じると正常なファンモータ停止を含めた機械動作停止時期を稼動状況に合わせて制御することえたことにより、予備のファンモータを設けたり、予備のファンモータの動作を制御したりする必要がなく、稼働状況に合わせた現状のファンモータの制御だけで故障状況に応じて対応することができる。
【００２９】
請求項１３に記載の発明は、複数のファンモータを同一駆動させ、いずれかのファンモータの異常を検知する異常検知制御方法であって、複数のファンモータに対し１つのモータ制御部及び１つの異常検知回路で同一制御し、いずれかのファンモータに異常が生じた場合、正常なファンモータ停止を含めた機械動作停止時期を現在の装置本体の稼動状況に合わせて制御することを特徴とする。
【００３０】
請求項１３に記載の発明によれば、複数のファンモータに対し１つのモータ制御部及び１つの異常検知回路で同一制御し、いずれかのファンモータに異常が生じた場合、正常なファンモータ停止を含めた機械動作停止時期を現在の装置本体の稼動状況に合わせて制御することにより、予備のファンモータを設けたり、予備のファンモータの動作を制御したりする必要がなく、稼働状況に合わせた現状のファンモータを１つのモータ制御部及び１つの異常検知回路による制御だけで故障状況に応じて対応することができる。
【００３１】
請求項１４に記載の発明は、複数のファンモータの異常を検知して制御する異常検知制御方法であって、前記異常が生じると正常なファンモータの風量を増加させると共に、装置本体の動作を続行させることを特徴とする。
【００３２】
請求項１４に記載の発明によれば、異常が生じると正常なファンモータの風量を増加させると共に、装置本体の動作を続行させることにより、予備のファンモータを設けたり、予備のファンモータの動作を制御したりする必要がなく、現状のファンモータの風量の制御だけで故障状況に応じて対応することができる。
【００３３】
請求項１５に記載の発明は、複数のファンモータを同一駆動させ、いずれかのファンモータの異常を検知する異常検知制御方法であって、いずれかのファンモータに異常が生じた場合、正常なファンモータの風量を増加させると共に、装置本体の動作を続行させることを特徴とする。
【００３４】
請求項１５に記載の発明によれば、いずれかのファンモータに異常が生じた場合、正常なファンモータの風量を増加させると共に、装置本体の動作を続行させることにより、予備のファンモータを設けたり、予備のファンモータの動作を制御したりする必要がなく、装置本体の動作を続行させると共に現状のファンモータの風量の制御だけで故障状況に応じて対応することができる。
【００３５】
請求項１６に記載の発明は、複数のファンモータを１対１で制御し、前記ファンモータの異常を検知して制御する異常検知制御方法であって、前記異常が生じると異常なファンモータが影響を及ぼす機械動作のみを停止し、正常な機械動作は続行させることを特徴とする。
【００３６】
請求項１６に記載の発明によれば、異常が生じると異常なファンモータが影響を及ぼす機械動作のみを停止し、正常な機械動作は続行させることにより、予備のファンモータを設けたり、予備のファンモータの動作を制御したりする必要がなく、異常なファンモータが影響を及ぼす機械動作のみを停止制御するだけで故障状況に応じて対応することができる。
【００３７】
請求項１７に記載の発明は、複数のファンモータを１対１で制御し、いずれかのファンモータの異常を検知して制御する異常検知制御方法であって、いずれかのファンモータに異常が生じた場合、その異常なファンモータが影響を及ぼす機械動作のみを停止し、正常な機械動作は続行させることを特徴とする。
【００３８】
請求項１７に記載の発明によれば、いずれかのファンモータに異常が生じた場合、その異常なファンモータが影響を及ぼす機械動作のみを停止し、正常な機械動作は続行させることにより、予備のファンモータを設けたり、予備のファンモータの動作を制御したりする必要がなく、異常なファンモータが影響を及ぼす機械動作のみ停止制御するだけで故障状況に応じて対応することができる。
【００３９】
請求項１８に記載の発明は、複数のファンモータを同一駆動させ、前記ファンモータと同一個数で各ファンモータと１対１で対応し前記ファンモータの異常を検知して制御する異常検知制御方法であって、前記異常が生じると異常なファンモータが影響を及ぼす機械動作のみを停止し、正常な機械動作は続行させることを特徴とする。
【００４０】
請求項１８に記載の発明によれば、異常が生じると異常なファンモータが影響を及ぼす機械動作のみを停止し、正常な機械動作は続行させることにより、予備のファンモータを設けたり、予備のファンモータの動作を制御したりする必要がなく、異常なファンモータが影響を及ぼす機械動作のみ停止制御するだけで故障状況に応じて対応することができる。
【００４１】
請求項１９に記載の発明は、複数のファンモータを同一駆動させ、複数ファンモータと同一個数で各ファンモータと１対１で対応しファンモータの異常を検知して制御する異常検知制御方法であって、いずれかのファンモータに異常が生じた場合、その異常なファンモータが影響を及ぼす機械動作のみを停止し、正常な機械動作は続行させることを特徴とする。
【００４２】
請求項１９に記載の発明によれば、いずれかのファンモータに異常が生じた場合、その異常なファンモータが影響を及ぼす機械動作のみを停止し、正常な機械動作は続行させることにより、予備のファンモータを設けたり、予備のファンモータの動作を制御したりする必要がなく、異常なファンモータが影響を及ぼす機械動作のみ停止制御するだけで故障状況に応じて対応することができる。
【００４３】
請求項２０に記載の発明は、複数のファンモータを同一駆動させ、前記ファンモータから入力された電圧値の違いからファンモータの異常を検知して制御する異常検知制御方法であって、前記異常が生じると異常なファンモータが影響を及ぼす機械動作のみを停止し、正常な機械動作は続行させることを特徴とする。
【００４４】
請求項２０に記載の発明によれば、異常が生じると異常なファンモータが影響を及ぼす機械動作のみを停止し、正常な機械動作は続行させることにより、予備のファンモータの動作を制御したりする必要がなく、異常なファンモータが影響を及ぼす機械動作のみ停止制御するだけで故障状況に応じて対応することができる。
【００４５】
請求項２１に記載の発明は、複数のファンモータを同一駆動させ、いずれかのファンモータから入力された電圧値の違いからファンモータの異常を検知して制御する異常検知制御方法であって、いずれかのファンモータに異常が生じた場合、その故障したファンモータが影響を及ぼす機械動作のみを停止させ、正常な機械動作は続行させることを特徴とする。
【００４６】
請求項２１に記載の発明によれば、いずれかのファンモータに異常が生じた場合、その故障したファンモータが影響を及ぼす機械動作のみを停止させ、正常な機械動作は続行させることにより、予備のファンモータの動作を制御したりする必要がなく、異常なファンモータが影響を及ぼす機械動作のみ停止制御するだけで故障状況に応じて対応することができる。
【００４７】
請求項２２に記載の発明は、請求項１２から２１のいずれか１項の異常検知制御方法を用いる画像形成方法であることを特徴とする。
【００４８】
請求項２２に記載の発明によれば、請求項１２から２１のいずれか１項の異常検知制御方法を用いることにより、ファンモータの数を増やすことなく故障状況に応じて対応することができる。
【００４９】
請求項２３に記載の発明は、実質的なコンピュータに、複数のファンモータの異常を検知して制御する処理を実行させる異常検知制御プログラムであって、前記コンピュータに、前記異常が生じると正常なファンモータ停止を含めた機械動作停止時期を稼動状況に合わせて制御する処理を実行させることを特徴とする。
【００５０】
請求項２３に記載の発明によれば、コンピュータに、異常が生じると正常なファンモータ停止を含めた機械動作停止時期を稼動状況に合わせて制御する処理を実行させることにより、予備のファンモータを設けたり、予備のファンモータの動作を制御したりする必要がなく、稼働状況に合わせた現状のファンモータの制御だけで故障状況に応じて対応することができる。
【００５１】
請求項２４に記載の発明は、実質的なコンピュータに、複数のファンモータを同一駆動させる処理、いずれかのファンモータの異常を検知する処理を実行させる異常検知制御プログラムであって、前記コンピュータに、複数のファンモータに対し１つのモータ制御部及び１つの異常検知回路で同一制御する処理、いずれかのファンモータに異常が生じた場合、正常なファンモータ停止を含めた機械動作停止時期を現在の装置本体の稼動状況に合わせて制御する処理を実行させることを特徴とする。
【００５２】
請求項２４に記載の発明によれば、コンピュータに、複数のファンモータに対し１つのモータ制御部及び１つの異常検知回路で同一制御する処理、いずれかのファンモータに異常が生じた場合、正常なファンモータ停止を含めた機械動作停止時期を現在の装置本体の稼動状況に合わせて制御する処理を実行させることにより、予備のファンモータを設けたり、予備のファンモータの動作を制御したりする必要がなく、稼働状況に合わせた現状のファンモータを１つのモータ制御部及び１つの異常検知回路による制御だけで故障状況に応じて対応することができる。
【００５３】
請求項２５に記載の発明は、実質的なコンピュータに、複数のファンモータの異常を検知して制御する処理を実行させる異常検知制御プログラムであって、前記コンピュータに、前記異常が生じると正常なファンモータの風量を増加させると共に、装置本体の動作を続行させる処理を実行させることを特徴とする。
【００５４】
請求項２５に記載の発明によれば、コンピュータに、異常が生じると正常なファンモータの風量を増加させると共に、装置本体の動作を続行させる処理を実行させることにより、予備のファンモータを設けたり、予備のファンモータの動作を制御したりする必要がなく、現状のファンモータの風量の制御だけで故障状況に応じて対応することができる。
【００５５】
請求項２６に記載の発明は、実質的なコンピュータに、複数のファンモータを同一駆動させる処理、いずれかのファンモータの異常を検知する処理を実行させる異常検知制御プログラムであって、前記コンピュータに、いずれかのファンモータに異常が生じた場合、正常なファンモータの風量を増加させると共に、装置本体の動作を続行させる処理を実行させることを特徴とする。
【００５６】
請求項２６に記載の発明によれば、コンピュータに、いずれかのファンモータに異常が生じた場合、正常なファンモータの風量を増加させると共に、装置本体の動作を続行させる処理を実行させることにより、予備のファンモータを設けたり、予備のファンモータの動作を制御したりする必要がなく、装置本体の動作を続行させると共に現状のファンモータの風量の制御だけで故障状況に応じて対応することができる。
【００５７】
請求項２７に記載の発明は、実質的なコンピュータに、複数のファンモータを１対１で制御する処理、前記ファンモータの異常を検知して制御する処理を実行させる異常検知制御プログラムであって、前記コンピュータに、前記異常が生じると異常なファンモータが影響を及ぼす機械動作のみを停止する処理、正常な機械動作は続行させる処理を実行させることを特徴とする。
【００５８】
請求項２７に記載の発明によれば、コンピュータに、異常が生じると異常なファンモータが影響を及ぼす機械動作のみを停止する処理、正常な機械動作は続行させる処理を実行させることにより、予備のファンモータを設けたり、予備のファンモータの動作を制御したりする必要がなく、異常なファンモータが影響を及ぼす機械動作のみを停止制御するだけで故障状況に応じて対応することができる。
【００５９】
請求項２８に記載の発明は、実質的なコンピュータに、複数のファンモータを１対１で制御する処理、いずれかのファンモータの異常を検知して制御する処理を実行させる異常検知制御プログラムであって、前記コンピュータに、いずれかのファンモータに異常が生じた場合、その異常なファンモータが影響を及ぼす機械動作のみを停止し、正常な機械動作は続行させる処理を実行させることを特徴とする。
【００６０】
請求項２８に記載の発明によれば、コンピュータに、いずれかのファンモータに異常が生じた場合、その異常なファンモータが影響を及ぼす機械動作のみを停止し、正常な機械動作は続行させる処理を実行させることにより、予備のファンモータを設けたり、予備のファンモータの動作を制御したりする必要がなく、異常なファンモータが影響を及ぼす機械動作のみ停止制御するだけで故障状況に応じて対応することができる。
【００６１】
請求項２９に記載の発明は、実質的なコンピュータに、複数のファンモータを同一駆動させる処理、前記ファンモータと同一個数で各ファンモータと１対１で対応し前記ファンモータの異常を検知して制御する処理を実行させる異常検知制御プログラムであって、前記コンピュータに、前記異常が生じると異常なファンモータが影響を及ぼす機械動作のみを停止し、正常な機械動作は続行させる処理を実行させることを特徴とする。
【００６２】
請求項２９に記載の発明によれば、コンピュータに、異常が生じると異常なファンモータが影響を及ぼす機械動作のみを停止し、正常な機械動作は続行させる処理を実行させることにより、予備のファンモータを設けたり、予備のファンモータの動作を制御したりする必要がなく、異常なファンモータが影響を及ぼす機械動作のみ停止制御するだけで故障状況に応じて対応することができる。
【００６３】
請求項３０に記載の発明は、実質的なコンピュータに、複数のファンモータを同一駆動させる処理、複数ファンモータと同一個数で各ファンモータと１対１で対応しファンモータの異常を検知して制御する処理を実行させる異常検知制御プログラムであって、前記コンピュータに、いずれかのファンモータに異常が生じた場合、その異常なファンモータが影響を及ぼす機械動作のみを停止する処理、正常な機械動作は続行させる処理を実行させることを特徴とする。
【００６４】
請求項３０に記載の発明によれば、コンピュータに、いずれかのファンモータに異常が生じた場合、その異常なファンモータが影響を及ぼす機械動作のみを停止する処理、正常な機械動作は続行させる処理を実行させることにより、予備のファンモータを設けたり、予備のファンモータの動作を制御したりする必要がなく、異常なファンモータが影響を及ぼす機械動作のみ停止制御するだけで故障状況に応じて対応することができる。
【００６５】
請求項３１に記載の発明は、実質的なコンピュータに、複数のファンモータを同一駆動させる処理、前記ファンモータから入力された電圧値の違いからファンモータの異常を検知して制御する処理を実行させる異常検知制御プログラムであって、前記コンピュータに、前記異常が生じると異常なファンモータが影響を及ぼす機械動作のみを停止し、正常な機械動作は続行させる処理を実行させることを特徴とする。
【００６６】
請求項３１に記載の発明によれば、コンピュータに、異常が生じると異常なファンモータが影響を及ぼす機械動作のみを停止し、正常な機械動作は続行させる処理を実行させることにより、予備のファンモータの動作を制御したりする必要がなく、異常なファンモータが影響を及ぼす機械動作のみ停止制御するだけで故障状況に応じて対応することができる。
【００６７】
請求項３２に記載の発明は、実質的なコンピュータに、複数のファンモータを同一駆動させる処理、いずれかのファンモータから入力された電圧値の違いからファンモータの異常を検知して制御する処理を実行させる異常検知制御プログラムであって、前記コンピュータに、いずれかのファンモータに異常が生じた場合、その故障したファンモータが影響を及ぼす機械動作のみを停止させる処理、正常な機械動作は続行させる処理を実行させることを特徴とする。
【００６８】
請求項３２に記載の発明によれば、コンピュータに、いずれかのファンモータに異常が生じた場合、その故障したファンモータが影響を及ぼす機械動作のみを停止させる処理、正常な機械動作は続行させる処理を実行させることにより、予備のファンモータの動作を制御したりする必要がなく、異常なファンモータが影響を及ぼす機械動作のみ停止制御するだけで故障状況に応じて対応することができる。
【００６９】
請求項３３に記載の発明は、請求項２３から３２のいずれか１項の異常検知制御プログラムを用いる画像形成プログラムであることを特徴とする。
【００７０】
請求項３３に記載の発明によれば、請求項２３から３２のいずれか１項の異常検知制御プログラムを用いる画像形成プログラムであることにより、ファンモータの数を増やすことなく故障状況に応じて対応することができる。
【００７１】
請求項３４に記載の発明は、実質的なコンピュータに、複数のファンモータの異常を検知して制御する処理を実行させる異常検知制御プログラムを記録した記録媒体であって、前記コンピュータに、前記異常が生じると正常なファンモータ停止を含めた機械動作停止時期を稼動状況に合わせて制御する処理を実行させる異常検知制御プログラムを記録したことを特徴とする。
【００７２】
請求項３４に記載の発明によれば、コンピュータに、異常が生じると正常なファンモータ停止を含めた機械動作停止時期を稼動状況に合わせて制御する処理を実行させる異常検知制御プログラムを記録した記録媒体を用いることにより、予備のファンモータを設けたり、予備のファンモータの動作を制御したりする必要がなく、稼働状況に合わせた現状のファンモータの制御だけで故障状況に応じて対応することができる。
【００７３】
請求項３５に記載の発明は、実質的なコンピュータに、複数のファンモータを同一駆動させる処理、いずれかのファンモータの異常を検知する処理を実行させる異常検知制御プログラムを記録した記録媒体であって、前記コンピュータに、複数のファンモータに対し１つのモータ制御部及び１つの異常検知回路で同一制御する処理、いずれかのファンモータに異常が生じた場合、正常なファンモータ停止を含めた機械動作停止時期を現在の装置本体の稼動状況に合わせて制御する処理を実行させる異常検知制御プログラムを記録したことを特徴とする。
【００７４】
請求項３５に記載の発明によれば、コンピュータに、複数のファンモータに対し１つのモータ制御部及び１つの異常検知回路で同一制御する処理、いずれかのファンモータに異常が生じた場合、正常なファンモータ停止を含めた機械動作停止時期を現在の装置本体の稼動状況に合わせて制御する処理を実行させる異常検知制御プログラムを記録した記録媒体を用いることにより、予備のファンモータを設けたり、予備のファンモータの動作を制御したりする必要がなく、稼働状況に合わせた現状のファンモータを１つのモータ制御部及び１つの異常検知回路による制御だけで故障状況に応じて対応することができる。
【００７５】
請求項３６に記載の発明は、実質的なコンピュータに、複数のファンモータの異常を検知して制御する処理を実行させる異常検知制御プログラムを記録した記録媒体であって、前記コンピュータに、前記異常が生じると正常なファンモータの風量を増加させると共に、装置本体の動作を続行させる処理を実行させる異常検知制御プログラムを記録したことを特徴とする。
【００７６】
請求項３６に記載の発明によれば、コンピュータに、異常が生じると正常なファンモータの風量を増加させると共に、装置本体の動作を続行させる処理を実行させる異常検知制御プログラムを記録した記録媒体を用いることにより、予備のファンモータを設けたり、予備のファンモータの動作を制御したりする必要がなく、現状のファンモータの風量の制御だけで故障状況に応じて対応することができる。
【００７７】
請求項３７に記載の発明は、実質的なコンピュータに、複数のファンモータを同一駆動させる処理、いずれかのファンモータの異常を検知する処理を実行させる異常検知制御プログラムを記録した記録媒体であって、前記コンピュータに、いずれかのファンモータに異常が生じた場合、正常なファンモータの風量を増加させると共に、装置本体の動作を続行させる処理を実行させる異常検知制御プログラムを記録したことを特徴とする。
【００７８】
請求項３７に記載の発明によれば、コンピュータに、いずれかのファンモータに異常が生じた場合、正常なファンモータの風量を増加させると共に、装置本体の動作を続行させる処理を実行させる異常検知制御プログラムを記録した記録媒体を用いることにより、予備のファンモータを設けたり、予備のファンモータの動作を制御したりする必要がなく、装置本体の動作を続行させると共に現状のファンモータの風量の制御だけで故障状況に応じて対応することができる。
【００７９】
請求項３８に記載の発明は、実質的なコンピュータに、複数のファンモータを１対１で制御する処理、前記ファンモータの異常を検知して制御する処理を実行させる異常検知制御プログラムを記録した記録媒体であって、前記コンピュータに、前記異常が生じると異常なファンモータが影響を及ぼす機械動作のみを停止する処理、正常な機械動作は続行させる処理を実行させる異常検知制御プログラムを記録したことを特徴とする。
【００８０】
請求項３８に記載の発明によれば、コンピュータに、異常が生じると異常なファンモータが影響を及ぼす機械動作のみを停止する処理、正常な機械動作は続行させる処理を実行させる異常検知制御プログラムを記録した記録媒体を用いることにより、予備のファンモータを設けたり、予備のファンモータの動作を制御したりする必要がなく、異常なファンモータが影響を及ぼす機械動作のみを停止制御するだけで故障状況に応じて対応することができる。
【００８１】
請求項３９に記載の発明は、実質的なコンピュータに、複数のファンモータを１対１で制御する処理、いずれかのファンモータの異常を検知して制御する処理を実行させる異常検知制御プログラムを記録した記録媒体であって、前記コンピュータに、いずれかのファンモータに異常が生じた場合、その異常なファンモータが影響を及ぼす機械動作のみを停止し、正常な機械動作は続行させる処理を実行させる異常検知制御プログラムを記録したことを特徴とする。
【００８２】
請求項３９に記載の発明によれば、コンピュータに、いずれかのファンモータに異常が生じた場合、その異常なファンモータが影響を及ぼす機械動作のみを停止し、正常な機械動作は続行させる処理を実行させる異常検知制御プログラムを記録した記録媒体を用いることにより、予備のファンモータを設けたり、予備のファンモータの動作を制御したりする必要がなく、異常なファンモータが影響を及ぼす機械動作のみ停止制御するだけで故障状況に応じて対応することができる。
【００８３】
請求項４０に記載の発明は、実質的なコンピュータに、複数のファンモータを同一駆動させる処理、前記ファンモータと同一個数で各ファンモータと１対１で対応し前記ファンモータの異常を検知して制御する処理を実行させる異常検知制御プログラムを記録した記録媒体であって、前記コンピュータに、前記異常が生じると異常なファンモータが影響を及ぼす機械動作のみを停止し、正常な機械動作は続行させる処理を実行させる異常検知制御プログラムを記録したことを特徴とする。
【００８４】
請求項４０に記載の発明によれば、コンピュータに、異常が生じると異常なファンモータが影響を及ぼす機械動作のみを停止し、正常な機械動作は続行させる処理を実行させる異常検知制御プログラムを記録した記録媒体を用いることにより、予備のファンモータを設けたり、予備のファンモータの動作を制御したりする必要がなく、異常なファンモータが影響を及ぼす機械動作のみ停止制御するだけで故障状況に応じて対応することができる。
【００８５】
請求項４１に記載の発明は、実質的なコンピュータに、複数のファンモータを同一駆動させる処理、複数ファンモータと同一個数で各ファンモータと１対１で対応しファンモータの異常を検知して制御する処理を実行させる異常検知制御プログラムを記録した記録媒体であって、前記コンピュータに、いずれかのファンモータに異常が生じた場合、その異常なファンモータが影響を及ぼす機械動作のみを停止する処理、正常な機械動作は続行させる処理を実行させる異常検知制御プログラムを記録したことを特徴とする。
【００８６】
請求項４１に記載の発明によれば、コンピュータに、いずれかのファンモータに異常が生じた場合、その異常なファンモータが影響を及ぼす機械動作のみを停止する処理、正常な機械動作は続行させる処理を実行させる異常検知制御プログラムを記録した記録媒体を用いることにより、予備のファンモータを設けたり、予備のファンモータの動作を制御したりする必要がなく、異常なファンモータが影響を及ぼす機械動作のみ停止制御するだけで故障状況に応じて対応することができる。
【００８７】
請求項４２に記載の発明は、実質的なコンピュータに、複数のファンモータを同一駆動させる処理、前記ファンモータから入力された電圧値の違いからファンモータの異常を検知して制御する処理を実行させる異常検知制御プログラムを記録した記録媒体であって、前記コンピュータに、前記異常が生じると異常なファンモータが影響を及ぼす機械動作のみを停止し、正常な機械動作は続行させる処理を実行させる異常検知制御プログラムを記録したことを特徴とする。
【００８８】
請求項４２に記載の発明によれば、コンピュータに、異常が生じると異常なファンモータが影響を及ぼす機械動作のみを停止し、正常な機械動作は続行させる処理を実行させる異常検知制御プログラムを記録した記録媒体を用いることにより、予備のファンモータの動作を制御したりする必要がなく、異常なファンモータが影響を及ぼす機械動作のみ停止制御するだけで故障状況に応じて対応することができる。
【００８９】
請求項４３に記載の発明は、実質的なコンピュータに、複数のファンモータを同一駆動させる処理、いずれかのファンモータから入力された電圧値の違いからファンモータの異常を検知して制御する処理を実行させる異常検知制御プログラムを記録した記録媒体であって、前記コンピュータに、いずれかのファンモータに異常が生じた場合、その故障したファンモータが影響を及ぼす機械動作のみを停止させる処理、正常な機械動作は続行させる処理を実行させる異常検知制御プログラムを記録したことを特徴とする。
【００９０】
請求項４３に記載の発明によれば、コンピュータに、いずれかのファンモータに異常が生じた場合、その故障したファンモータが影響を及ぼす機械動作のみを停止させる処理、正常な機械動作は続行させる処理を実行させる異常検知制御プログラムを記録した記録媒体を用いることにより、予備のファンモータの動作を制御したりする必要がなく、異常なファンモータが影響を及ぼす機械動作のみ停止制御するだけで故障状況に応じて対応することができる。
【００９１】
請求項４４に記載の発明は、請求項３４から４３のいずれか１項の異常検知制御プログラムを記録した記録媒体であることを特徴とする。
【００９２】
請求項４４に記載の発明によれば、請求項３４から４３のいずれか１項の異常検知制御プログラムを記録した記録媒体を用いることにより、ファンモータの数を増やすことなく故障状況に応じて対応することができる。
【００９３】
すなわち、本発明では、ファンモータの個数が増えてもファン制御部やファン異常検知部は１つのままで各ファンを同一制御することにより、コストアップを防止することができる。またファンモータの異常時には残りのファンモータ停止を含めた機械停止時期を現在の画像形成装置やコンピュータ等の電子装置の稼動状況に合わせる制御を行い、機械動作時にはファン異常検知時までのジョブは有効として出力を優先し、ファン異常検知時以降のジョブは停止することで、ファンモータの個数が増加してもファン制御部やファン異常検知部のコストアップを防ぐことができ、かつファン異常時が機械の稼動中の時でも紙ジャム停止等が発生しない異常検知制御装置、異常検知制御方法、異常検知制御プログラム、及び記録媒体を実現することができる。
【発明の効果】
【００９４】
本発明によれば、異常が生じると正常なファンモータ停止を含めた機械動作停止時期を稼動状況に合わせて制御する制御部を備えたことにより、予備のファンモータを設けたり、予備のファンモータの動作を制御したりする必要がなく、稼働状況に合わせた現状のファンモータの制御だけで故障状況に応じて対応することができる。
【発明を実施するための最良の形態】
【００９５】
本発明の異常検知制御装置に係る一実施形態は、複数のファンモータと、ファンモータを同一駆動させるモータ制御部と、ファンモータの異常を検知するモータ異常検知部とを有する異常検知制御装置であって、異常が生じると正常なファンモータ停止を含めた機械動作停止時期を稼動状況に合わせて制御する制御部を備えたことを特徴とする。
ファンモータとしては、例えば、ＤＣモータが好ましく、特にロック検出機能付きファンモータを用いるのが好ましい。
制御部としては、例えば、マイクロプロセッサが好ましい。
【００９６】
本発明の異常検知制御装置に係る他の実施形態は、複数のファンモータと、複数のファンモータを同一駆動させる１つのモータ制御部と、いずれかのファンモータの異常を検知する１つのモータ異常検知部とを有する異常検知制御装置であって、複数のファンモータに対し１つのモータ制御部及び１つの異常検知回路で同一制御し、いずれかのファンモータに異常が生じた場合、正常なファンモータ停止を含めた機械動作停止時期を現在の装置本体の稼動状況に合わせて制御する制御部を備えたことを特徴とする。
【００９７】
本発明の異常検知制御装置に係る他の実施形態は、複数のファンモータと、ファンモータを同一駆動するモータ制御部と、ファンモータの異常を検知するモータ異常検知部とを有する異常検知制御装置であって、異常が生じると正常なファンモータの風量を増加させると共に、装置本体の動作を続行させる制御部を備えたことを特徴とする。
【００９８】
本発明の異常検知制御装置に係る他の実施形態は、複数のファンモータと、複数のファンモータを同一駆動させる１つのモータ制御部と、いずれかのファンモータの異常を検知する１つのモータ異常検知部とを有する異常検知制御装置であって、正常なファンモータの風量を増加させるための１つのモータ電流制御部と、いずれかのファンモータに異常が生じた場合、モータ電流制御部により正常なファンモータの風量を増加させると共に、装置本体の動作を続行させる制御部を備えたことを特徴とする。
【００９９】
本発明の異常検知制御装置に係る他の実施形態は、複数のファンモータと、ファンモータと同一個数で各ファンモータを１対１で制御するモータ制御部と、ファンモータの異常を検知するモータ異常検知部とを有する異常検知制御装置であって、異常が生じると異常なファンモータが影響を及ぼす機械動作のみを停止し、正常な機械動作は続行させる制御部を備えたことを特徴とする。
【０１００】
本発明の異常検知制御装置に係る他の実施形態は、複数のファンモータと、複数ファンモータと同一個数で各ファンモータを１対１で制御するファンモータ制御部と、いずれかのファンモータの異常を検知する１つのファンモータ異常検知部とを有する異常検知制御装置であって、いずれかのファンモータに異常が生じた場合、その異常なファンモータが影響を及ぼす機械動作のみを停止し、正常な機械動作は続行させる制御部を備えたことを特徴とする。
【０１０１】
本発明の異常検知制御装置に係る他の実施形態は、複数のファンモータと、ファンモータを同一駆動させるモータ制御部と、ファンモータと同一個数で各ファンモータと１対１で対応しファンモータの異常を検知するモータ異常検知部とを有する異常検知制御装置であって、異常が生じると異常なファンモータが影響を及ぼす機械動作のみを停止し、正常な機械動作は続行させる制御部を備えたことを特徴とする。
【０１０２】
本発明の異常検知制御装置に係る他の実施形態は、複数のファンモータと、複数のファンモータを同一駆動させる１つのファンモータ制御部と、複数ファンモータと同一個数で各ファンモータと１対１で対応しファンモータの異常を検知するファンモータ異常検知部とを有する異常検知制御装置であって、いずれかのファンモータに異常が生じた場合、その異常なファンモータが影響を及ぼす機械動作のみを停止し、正常な機械動作は続行させる制御部を備えたことを特徴とする。
【０１０３】
本発明の異常検知制御装置に係る他の実施形態は、複数のファンモータと、ファンモータを同一駆動させるモータ制御部と、ファンモータから入力された電圧値の違いからファンモータの異常を検知するモータ異常検知部とを有する異常検知制御装置であって、異常が生じると異常なファンモータが影響を及ぼす機械動作のみを停止し、正常な機械動作は続行させる制御部を備えたことを特徴とする。
【０１０４】
本発明の異常検知制御装置に係る他の実施形態は、複数のファンモータと、複数のファンモータを同一駆動させる１つのファンモータ制御部と、入力部にＡ／Ｄコンバータを有し、いずれかのファンモータから入力された電圧値の違いからファンモータの異常を検知する１つのファンモータ異常検知部とを有する異常検知制御装置であって、いずれかのファンモータに故障や寿命による出力低下等の異常が生じた場合、その故障したファンモータが影響を及ぼす機械動作のみを停止させ、正常な機械動作は続行させる制御部を備えたことを特徴とする。
【０１０５】
本発明の画像形成装置に係る一実施形態は、上記いずれかの異常検知制御装置を用いたことを特徴とする。
【０１０６】
本発明の異常検知制御方法に係る一実施形態は、複数のファンモータの異常を検知して制御する異常検知制御方法であって、異常が生じると正常なファンモータ停止を含めた機械動作停止時期を稼動状況に合わせて制御することを特徴とする。
【０１０７】
本発明の異常検知制御方法に係る他の実施形態は、複数のファンモータの異常を検知して制御する異常検知制御方法であって、異常が生じると正常なファンモータの風量を増加させると共に、装置本体の動作を続行させることを特徴とする。
【０１０８】
本発明の異常検知制御方法に係る他の実施形態は、複数のファンモータを１対１で制御し、ファンモータの異常を検知して制御する異常検知制御方法であって、異常が生じると異常なファンモータが影響を及ぼす機械動作のみを停止し、正常な機械動作は続行させることを特徴とする。
【０１０９】
本発明の異常検知制御方法に係る他の実施形態は、複数のファンモータを同一駆動させ、ファンモータと同一個数で各ファンモータと１対１で対応し前記ファンモータの異常を検知して制御する異常検知制御方法であって、異常が生じると異常なファンモータが影響を及ぼす機械動作のみを停止し、正常な機械動作は続行させることを特徴とする。
【０１１０】
本発明の異常検知制御方法に係る他の実施形態は、複数のファンモータを同一駆動させ、ファンモータから入力された電圧値の違いからファンモータの異常を検知して制御する異常検知制御方法であって、異常が生じると異常なファンモータが影響を及ぼす機械動作のみを停止し、正常な機械動作は続行させることを特徴とする。
【０１１１】
本発明の画像形成方法に係る一実施形態は、上記異常検知制御方法を用いることを特徴とする。
【０１１２】
本発明の異常検知制御プログラムに係る一実施形態は、実質的なコンピュータに、複数のファンモータの異常を検知して制御する処理を実行させる異常検知制御プログラムであって、コンピュータに、異常が生じると正常なファンモータ停止を含めた機械動作停止時期を稼動状況に合わせて制御する処理を実行させることを特徴とする。
【０１１３】
本発明の異常検知制御プログラムに係る他の実施形態は、実質的なコンピュータに、複数のファンモータの異常を検知して制御する処理を実行させる異常検知制御プログラムであって、コンピュータに、異常が生じると正常なファンモータの風量を増加させると共に、装置本体の動作を続行させる処理を実行させることを特徴とする。
【０１１４】
本発明の異常検知制御プログラムに係る他の実施形態は、実質的なコンピュータに、複数のファンモータを１対１で制御する処理、ファンモータの異常を検知して制御する処理を実行させる異常検知制御プログラムであって、コンピュータに、異常が生じると異常なファンモータが影響を及ぼす機械動作のみを停止する処理、正常な機械動作は続行させる処理を実行させることを特徴とする。
【０１１５】
本発明の異常検知制御プログラムに係る他の実施形態は、実質的なコンピュータに、複数のファンモータを同一駆動させる処理、ファンモータと同一個数で各ファンモータと１対１で対応しファンモータの異常を検知して制御する処理を実行させる異常検知制御プログラムであって、コンピュータに、異常が生じると異常なファンモータが影響を及ぼす機械動作のみを停止し、正常な機械動作は続行させる処理を実行させることを特徴とする。
本発明の異常検知制御プログラムに係る他の実施形態は、実質的なコンピュータに、複数のファンモータを同一駆動させる処理、前記ファンモータから入力された電圧値の違いからファンモータの異常を検知して制御する処理を実行させる異常検知制御プログラムであって、コンピュータに、異常が生じると異常なファンモータが影響を及ぼす機械動作のみを停止し、正常な機械動作は続行させる処理を実行させることを特徴とする。
本発明の画像形成プログラムに係る一実施形態は、上記いずれか異常検知制御プログラムを用いることを特徴とする。
【０１１６】
本発明の記録媒体に係る一実施形態は、実質的なコンピュータに、複数のファンモータの異常を検知して制御する処理を実行させる異常検知制御プログラムを記録した記録媒体であって、コンピュータに、異常が生じると正常なファンモータ停止を含めた機械動作停止時期を稼動状況に合わせて制御する処理を実行させる異常検知制御プログラムを記録したことを特徴とする。
【０１１７】
本発明の記録媒体に係る他の実施形態は、実質的なコンピュータに、複数のファンモータの異常を検知して制御する処理を実行させる異常検知制御プログラムを記録した記録媒体であって、コンピュータに、異常が生じると正常なファンモータの風量を増加させると共に、装置本体の動作を続行させる処理を実行させる異常検知制御プログラムを記録したことを特徴とする。
【０１１８】
本発明の記録媒体に係る他の実施形態は、実質的なコンピュータに、複数のファンモータを１対１で制御する処理、ファンモータの異常を検知して制御する処理を実行させる異常検知制御プログラムを記録した記録媒体であって、コンピュータに、異常が生じると異常なファンモータが影響を及ぼす機械動作のみを停止する処理、正常な機械動作は続行させる処理を実行させる異常検知制御プログラムを記録したことを特徴とする。
【０１１９】
本発明の記録媒体に係る他の実施形態は、実質的なコンピュータに、複数のファンモータを同一駆動させる処理、ファンモータと同一個数で各ファンモータと１対１で対応しファンモータの異常を検知して制御する処理を実行させる異常検知制御プログラムを記録した記録媒体であって、コンピュータに、異常が生じると異常なファンモータが影響を及ぼす機械動作のみを停止し、正常な機械動作は続行させる処理を実行させる異常検知制御プログラムを記録したことを特徴とする。
【０１２０】
本発明の記録媒体に係る他の実施形態は、実質的なコンピュータに、複数のファンモータを同一駆動させる処理、ファンモータから入力された電圧値の違いからファンモータの異常を検知して制御する処理を実行させる異常検知制御プログラムを記録した記録媒体であって、コンピュータに、異常が生じると異常なファンモータが影響を及ぼす機械動作のみを停止し、正常な機械動作は続行させる処理を実行させる異常検知制御プログラムを記録したことを特徴とする。
【０１２１】
本発明の記録媒体に係る一実施の形態は、上記いずれか異常検知制御プログラムを記録したことを特徴とする。
【０１２２】
本発明の実施形態によれば、異常が生じると正常なファンモータ停止を含めた機械動作停止時期を稼動状況に合わせて制御する制御部を備えたことにより、予備のファンモータを設けたり、予備のファンモータの動作を制御したりする必要がなく、稼働状況に合わせた現状のファンモータの制御だけで故障状況に応じて対応することができる。
【実施例１】
【０１２３】
図１は、本発明に係る異常検知制御装置を適用した画像形成装置の一例を示す概要図である。
同図において、２は印刷される紙を収容すると共に供給するための給紙部である。３は原稿を読み取って電気信号に変換する読取部である。４は紙に原稿の文字や画像のトナー像を形成する画像形成部である。５は紙にトナー像を定着する定着部である。６は定着済みの紙を画像形成装置１から排出する排紙部である。７は後述する表示部である。８は後述する電源である。１３は冷却ファンを回転するファンモータＡであり、１４は冷却ファンを回転するファンモータＢである。以下、ファンモータＡをファンＡ、ファンモータＢをファンＢと称する場合がある。
【０１２４】
給紙部２から送られた紙が、読取部３で読み取った画像データを可視画像化するための画像形成部４に送られる。定着部５で定着された紙（印字物）が排紙部６に排紙されて印字動作が完了する。
表示部７は画像形成装置１の各種情報をユーザに表示するためのもので、電源８は外部からの商用電源を入力し、画像形成装置１内の各電気部品に電気を供給するためのものである。
この画像形成装置１は、例えば機械稼動時（機械動作時）に読取部３、画像形成部４、定着部５、電源８等の温度が規定の温度を超えるのを防止するために、必要に応じてそれぞれに対し搭載されたファンＡ１３、ファンＢ１４により温度の上昇を防止するようになっている。
【０１２５】
図２は、図１に示した画像形成装置に用いられる異常検知制御装置の一例を示すブロックである。
異常検知制御装置は、画像形成装置１全体の制御を司るＣＰＵ１１と、ＣＰＵ１１からの指示によりファンＡ１３とファンＢ１４とを１つの信号線で同時に動作させるファン制御部１２と、ファンＡ１３及びファンＢ１４のうち少なくとも一方が故障等の異常が発生した時に、それを異常と認識しＣＰＵ１１に異常であることを伝える異常検知部１５と、ファン異常時にユーザに対し異常を表示する表示部７とを有する。
【０１２６】
図３（ａ）は、図２に示した異常検知制御装置を含む周辺回路図の一例であり、図３（ｂ）は、図３（ａ）に示したファンモータの回路図である。
図３（ａ）に示した異常検知制御装置は、複数のファンを１つのファン制御部及び１つの異常検知部で制御を行うものである。端子Ｐ１、Ｐ２は図２に示した異常検知制御装置のＣＰＵ１１に接続される。
ファンモータの個数については説明や図面が煩雑になるので、これを避けるため最低数の２個の場合で説明する。また、本実施例ではファンモータがＤＣブラシレスモータの場合で説明する。
ファンモータ（市販のロック検知機能付きファンモータ）は、１ピン〜３ピンまでの三つのピンを有している。
図３（ｂ）に示すようにファンモータは、ロータ（永久磁石）と、ロータの外周に設けられたステータ（巻き線コイルＬ１、Ｌ２）と、ステータに接続された駆動ＩＣと、駆動ＩＣに接続されたＮＰＮ型バイポーラトランジスタＱとで構成されており、駆動ＩＣには１ピン〜３ピンが接続されている。
１ピンは電源Ｖａａの入力端子であり、２ピンはファンの異常状態を示すファン異常信号出力端子であり、３ピンはＬレベルの時にファンが駆動するファン駆動を行うための入力端子である。
【０１２７】
図３（ａ）を参照してまず１つのファン制御部で複数のファンモータを同時に稼動する方法について説明する。
異常検知制御装置の端子Ｐ１にＨレベルのファン起動信号が入力されると、ＮＰＮ型バイポーラトランジスタ（以下、トランジスタと称す）Ｑ１のベース電位がＨレベルになってコレクタ−エミッタ間が導通状態（ＯＮ）になる。
トランジスタＱ１がＯＮになるとＰＮＰ型バイポーラトランジスタ（以下、トランジスタと称す）Ｑ２のベース電位がＬレベルになってトランジスタＱ２がＯＮになる。
トランジスタＱ２がＯＮになると抵抗Ｒ１のトランジスタＱ２側の一端（図では上端）がＨレベルになる。このＨレベルの電位がトランジスタＱ３のベースに印加されるとトランジスタＱ３がＯＮになる。
すなわち、トランジスタＱ１、トランジスタＱ２、トランジスタＱ３がこの順番でＯＮになるため、ファンＡ１３の３ピンはＬレベルになる。
【０１２８】
一方、ファンＡ１３の１ピンは電源Ｖａａに接続されており、ファンＡ１３の内部で間に抵抗を挟んでファンＡ１３の１ピンとファンＡ１３の３ピンとが接続されているため、ファンＡ１３の１ピンからファンＡ１３の３ピンに電流が流れファンＡ１３が稼動する。
ファンＢ１４についてもファンＡ１３と同様の構造を有し、ファンＡ１３とファンＢ１４とは同時に稼動するようになっている。
【０１２９】
次に複数のファンモータの異常を１つの異常検知制御装置で検知する方法について述べる。
まず、ファンＡ１３が正常時の場合、ファンＡ１３の２ピンからＬレベルの信号が出力される。この時ツェナーダイオードＺＤ１のアノード電位及びトランジスタＱ４のベース電位は共にＬレベルであるため、トランジスタＱ４はＯＦＦである。トランジスタＱ４のコレクタにはプルアップ抵抗Ｒ２の一端（図では下端）が接続されているため、端子Ｐ２から出力されるファン異常検出信号はＨレベルとなる。
【０１３０】
一方、ファンＡ１３が異常時の場合、ファンＡ１３の２ピンはオープンとなり、端子Ｐ１に入力されるファン起動信号が駆動ＯＮ状態（Ｈレベル）の時、トランジスタＱ２がＯＮになるため、ツェナーダイオードＺＤ１のアノード−カソード間にツェナー電位が発生する。ツェナーダイオードＺＤ１にツェナー電位が発生すると、トランジスタＱ４のベース電位がＨレベルにプルアップされるため、トランジスタＱ４がＯＮになり、端子Ｐ２から出力されるファン異常検出信号がＬレベルになりファンモータの異常が検出できる。
ファンＢ１４についてもファンＡ１３と同様の構成であり、少なくても一つのファンモータに異常が発生すると必ずその異常を検出することができる。
【０１３１】
図４は、図２に示した異常検知制御装置におけるフローチャートである。
図４において、画像形成装置１（図１）のファンＡ１３、ファンＢ１４が動作を開始すると（ステップＳ４１）、図２に示したＣＰＵ１１がファンＡ１３、ファンＢ１４の動作直後からファンＡ１３、ファンＢ１４に異常が有るか否かを確認する（ステップＳ４２）。
ファンＡ１３、ファンＢ１４に異常が無い時にはそのまま待機し（ステップＳ４２／Ｎｏ）、ファンＡ１３、ファンＢ１４に異常が有る時には（ステップＳ４２／Ｙｅｓ）、画像形成装置１が機械動作中か否かを確認する（ステップｓ４３）。
画像形成装置１が機械動作中でない場合（ステップＳ４３／Ｎｏ）、そのまま表示部７（図１、２参照）に異常を通知し、他の全てのファンモータ（図ではファンＡ１３のファンモータもしくはファンＢ１４のファンモータ）の動作を停止し、これ以降の画像形成装置１の動作を停止する（ステップＳ４６）。
また画像形成装置１が機械動作中である場合（ステップＳ４３／Ｙｅｓ）は、画像形成装置１の給紙部２（図１参照）に、これ以降の給紙を停止させる。画像形成部４（図１参照）等、他の各部についても現在の動作終了後停止にする（ステップＳ４４）。
機械動作停止後（ステップＳ４５）、表示部７に異常を通知し、他の全てのファンを停止し、これ以降の画像形成装置の動作を停止する（ステップＳ４６）。
【０１３２】
本実施例により、ファンモータの個数が増加してもファン制御部やファン異常検知部の個数を増加することがないので、コストアップを防ぐことができ、かつファンモータの異常時が機械動作中であっても紙ジャム停止等が発生しない画像形成装置を実現することができる。
【実施例２】
【０１３３】
図５は、図１に示した画像形成装置の異常検知制御装置の他の例を示すブロック図である。
図５に示す異常検知制御装置は、画像形成装置１（図１参照）全体の制御を司るＣＰＵ２１と、ＣＰＵ２１からの指示によりファンＡ２４とファンＢ２５とを１つの信号線で同時に動作させるファン制御部２２と、ファンＡ２４及びファンＢ２５のうち少なくとも一方に故障等の異常が発生した時に、その異常を認識し、ＣＰＵ２１に異常であることを伝える異常検知部２６と、ファン異常時に残りのファンモータ全て（この場合、ファンＡ２４のファンモータもしくはファンＢ２５のファンモータ）の風量をアップするためのファン電流制御部２７と、ファンモータ異常時にユーザに対し異常を表示する表示部２３（図１の表示部７相当）とを有する。
【０１３４】
図６は、図５に示した異常検知制御装置を含む周辺回路図の一例である。
図６に示す異常検知制御装置は、複数のファンモータを１つのファン制御部、１つの異常検知部及び1つのファン電流制御部で制御するものである。
ファンモータの個数については、回路図及び説明が煩雑になるので、最低数の２個の場合で説明する。
まず、１つのファン制御部で複数のファンモータを同時稼動する方法について説明する。
複数のファンモータを１つの異常検知制御手段で検知する方法については実施例１と同様である。
ファンモータの異常時に残りの全てのファンモータの風量を増加させるためのファン電流制御については、ファンモータ異常時に可変抵抗Ｒｘの抵抗値をファン電流制御部にて変更して電流を増加することで対応している。端子Ｐ１、Ｐ２は図５に示したＣＰＵ２１に接続されている。
【０１３５】
図７は、図５に示した異常検知制御装置におけるフローチャートである。
ファンＡ２４、ファンＢ２５動作を開始すると（ステップＳ７１）、図５に示したＣＰＵ２１が動作開始直後からファン異常の有無を確認し（ステップＳ７２）、ファン異常が無い時にはそのまま待機し（ステップＳ７２／Ｎｏ）、ファン異常が有る時（ステップＳ７２／Ｙｅｓ）にはファン電流制御部２７にて全てのファンモータの電流値を増加することでファンの風量を増加し異常が発生したファンモータの温度上昇分をカバーする（ステップＳ７３）。
その後表示部２３（図５）に異常を表示することで、ユーザに対し現状は暫定稼動のためカスタマーエンジニアに機械修理する必要がある旨を伝える（ステップＳ７４）。
本実施例により、ファン異常発生時においても引き続き機械動作を稼動させることができる画像形成装置を実現することができる。
【実施例３】
【０１３６】
図８は、図１に示した画像形成装置の異常検知制御装置の他の例を示すブロック図である。
図８に示す異常検知制御装置は、画像形成装置１（図１参照）全体の制御を司るＣＰＵ３１と、ＣＰＵ３１からの指示によりファンＡ３４を作動させるファン制御部Ａ３２と、ファンＢ３５を作動させるファン制御部Ｂ３３と、ファンＡ３４及びファンＢ３５の少なくとも一方に故障等の異常が発生した時に、その異常を認識し、ＣＰＵ３１に異常であることを伝える異常検知部３６と、ファン異常時にユーザに対し異常を表示する表示部３７（図１の表示部７相当）とを有する。
【０１３７】
図９は、図８に示した異常検知制御装置を含む周辺回路図の一例である。
図９に示す異常検知制御装置は、複数のファン制御を１つの異常検知制御部で行うものである。
ファンモータの個数については図面や説明が煩雑になるのを避けるため最低数の２個の場合で説明する。
【０１３８】
まず各ファンモータと一対一対応したファン制御の方法については、実施例１で説明した内容をそれぞれ各ファン制御で独立で行っているだけの違いであるため説明は割愛するが、端子Ｐ１−１、Ｐ１−２、Ｐ２は図８のＣＰＵ３１に接続されている。
また複数のファンモータを１つの異常検知制御装置で検知する方法については実施例１と同様である。
【０１３９】
図１０は、図８に示した異常検知制御装置におけるフローチャートである。
ファンＡ３４、ファンＢ３５が動作を開始すると（ステップＳ１０）、ファンＡ３４、ファンＢ３５の動作開始直後からＣＰＵ３１（図８参照）はファン異常が有るか否かを確認し（ステップＳ１０２）、ファン異常が無い時にはそのまま待機し（ステップＳ１０２／Ｎｏ）、ファン異常が有る時（ステップＳ１０２／Ｙｅｓ）には、画像形成装置１が動作中か否かを確認する（ステップＳ１０３）。
この時画像形成装置１（図１参照）が動作中でない時（ステップＳ１０３／Ｎｏ）には、いずれのファンが異常なのかの確認フローに進む（ステップＳ１０６）。
また画像形成装置１が動作中の場合は、給紙部２（図１参照）の給紙動作を停止させる。また画像形成部４等、他の各部についても現在行っている動作終了後、一旦動作停止にする（ステップＳ１０４）。
機械動作停止し（ステップＳ１０５）、停止後いずれのファンモータが故障したかを確認するために、自動でファンＡ３４、ファンＢ３５と１個ずつ順番に回転させることで異常なファンモータを特定する（ステップＳ１０６）。
その後異常なファンモータが影響を及ぼす機械動作のみを停止する（ステップＳ１０７）。
最後に表示部３７（図１の表示部７相当）に異常を表示することで、ユーザに対し現状は暫定稼動のためカスタマーエンジニアに機械修理する必要がある旨を伝える。また現在使用できる動作モードも合わせて表示する（ステップＳ１０８）。
本実施例により、ファンモータの個数が増加してもファン異常検知部を増加させることがないので、コストアップを防ぐことができ、かつファンモータ異常発生時においても機能限定で引き続き機械を稼動させることができる画像形成装置を実現することができる。
【実施例４】
【０１４０】
図１１は、図１に示した画像形成装置の異常検知制御装置の他の例を示すブロック図である。
図１１に示す異常検知制御装置は、画像形成装置１（図１参照）全体の制御を司るＣＰＵ４１と、ＣＰＵ４１からの指示によりファンＡ４３とファンＢ４４とを１つの信号線で同時に動作させるファン制御部４２と、ファンＡ４３に異常が発生した時、それを異常と認識しＣＰＵ４１に異常であることを伝える異常検知部Ａ４５と、ファンＢ４４に異常が発生した時にそれを異常と認識しＣＰＵ４１に異常であることを伝える異常検知部Ｂ４６と、ファンモータ異常時にユーザに対し異常を表示する表示部４７（図１の表示部７相当）とを有する。
【０１４１】
図１２は、図１１に示した異常検知制御装置を含む周辺回路図の一例である。
図１２に示す異常検知制御装置は、複数のファン制御を１つのファン制御部及び複数の異常検知部で行うものである。
ファンモータの個数については図面や説明が煩雑になるのを避けるため最低数の２個の場合で説明する。
まず１つのファン制御部で複数のファンモータを同時稼動する方法については実施例１と同様である。また各ファンモータと一対一対応した異常検知の方法については、実施例１で説明した内容をそれぞれ各ファンで異常検知を独立で行っているだけの違いのため説明は割愛するが端子Ｐ１、Ｐ２−１、Ｐ２−２は図１１に示したＣＰＵ４１に接続されている。
【０１４２】
図１３は、図１１に示した異常検知制御装置におけるフローチャートである。
ファンＡ４３、ファンＢ４４が動作を開始すると（ステップＳ１３１）、図１１に示したＣＰＵ４１は動作開始直後からファンＡ４３、ファンＢ４４の異常の有無を確認し（ステップＳ１３２）、ファンＡ４３、ファンＢ４４に異常が無い時にはそのまま待機し（ステップＳ１３２／Ｎｏ）、ファンＡ４３、ファンＢ４４に異常が有る時（ステップＳ１３２／Ｙｅｓ）には、ファンモータに異常検知部Ａ４５、異常検知部Ｂ４６が一対一対応しているため、いずれのファンモータが故障しているか既に把握できている。
【０１４３】
まず画像形成装置１（図１参照）が機械動作中か否かを確認する（ステップＳ１３３）。
この時画像形成装置が動作中でない時（ステップＳ１３３／Ｎｏ）、異常なファンモータが影響を及ぼす機械動作のみを停止するフローに進む（ステップＳ１３７）。
また画像形成装置１が機械動作中である時（ステップＳ１３３／Ｙｅｓ）は、異常なファンモータは現状の機械動作に影響を及ぼすか否かの確認を行う（ステップＳ１３４）。
現状の機械動作に影響を及ぼさない時（ステップＳ１３４／Ｎｏ）は、現状の機械動作はそのまま続行とし、機械動作が終了するまで待つ（ステップＳ１３６）。
また現状の機械動作に影響を及ぼす時（ステップＳ１３４／Ｙｅｓ）は、給紙部２に給紙動作を停止させる。また画像形成部４（図１参照）等、他の各部についても現在行っている動作終了後、動作停止にする（ステップＳ１３５）。
機械動作停止後（ステップＳ１３６）、異常なファンが影響を及ぼす機械動作のみを停止する（ステップＳ１３７）。
最後に表示部７（図１参照）に異常を表示することで、ユーザに対し現状は暫定稼動のためカスタマーエンジニアに機械修理する必要がある旨を伝える。また現在使用できる動作モードも合わせて表示する（ステップＳ１３８）。
本実施例により、ファンモータの個数が増加してもファン制御部を増加させることがないのでコストアップを防ぐことができ、かつファン異常発生時においても機能限定で引き続き機械動作を稼動させることができる画像形成装置を実現することができる。
【実施例５】
【０１４４】
図１４は、図１に示した画像形成装置の異常検知制御装置の他の例を示すブロック図である。
図１４に示す異常検知制御装置は、画像形成装置１（図１参照）全体の制御を司るＣＰＵ５１と、ＣＰＵ５１からの指示によりファンＡ５３とファンＢ５４とを１つの信号線で同時に動作させるファン制御部５２と、入力電圧をＡ／Ｄ（アナログ／デジタル）変換する変換Ａ／Ｄコンバータ５６とを備え、ファンＡ５３及びファンＢ５４の少なくとも一方に異常が発生した時にそれを異常と認識しＣＰＵ５１に異常であることを伝える異常検知部５５と、ファン異常時にユーザに対し異常であることを表示する表示部５７（図１の表示部７相当）とを有する。またファンＡ５３及びファンＢ５４の出力はそれぞれ間に抵抗を介してＡ／Ｄコンバータ５６と接続されている。
【０１４５】
図１５は、図１４に示した異常検知制御装置を含む周辺回路図の一例である。
図１５に示す異常検知制御装置は、複数のファン制御を１つのファン制御部及びＡ／Ｄコンバータで行うものである。
ファンモータの個数については煩雑になるのを避けるため最低数の２個の場合で説明する。
まず１つのファン制御部５２で複数のファンを同時稼動する方法については実施例１と同様である。次に複数のファンモータに対しＡ／Ｄコンバータ５６を備えた１つの異常検知の方法については、ファンＡ５３の異常を知らせるファンＡ５３の２ピンに抵抗Ｒａを接続し、同様にファンＢ５４の２ピンに抵抗Ｒｂを接続し、それらの抵抗Ｒａ、Ｒｂを、Ｖｃｃでプルアップされた抵抗Ｒｙ及びＡ／Ｄコンバータと接続する。端子Ｐ１、Ｐ２は図１４に示したＣＰＵ５１に接続されている。
【０１４６】
ここで、抵抗Ｒａと抵抗Ｒｂとは異なる抵抗値を有しており、ファンＡ５３及びファンＢ５４の２ピンからの出力は、正常時にはオープンであり、異常時にはＬレベルであるとして説明する。
ファンモータ正常時はファンＡ５３及びファンＢ５４の２ピンが共にオープンとなるため、Ａ／Ｄコンバータ５６への入力電圧はＶｃｃとなる。ファンＡ５３の異常時はファンＡ５３の２ピンがＬレベルとなるため、Ａ／Ｄコンバータ５６への入力電圧は、抵抗Ｒｙと抵抗Ｒａとの分圧により、Ｒａ×Ｖｃｃ／（Ｒａ＋Ｒｙ）となる。
【０１４７】
同様に、ファンＢ５４の異常時のＡ／Ｄコンバータ５６への入力電圧は、Ｒｂ×Ｖｃｃ／（Ｒｂ＋Ｒｙ）となり、ファンＡ５３とファンＢ５４とが共に異常時のＡ／Ｄコンバータ５６への入力電圧はＲａ×Ｒｂ×Ｖｃｃ／（Ｒａ×Ｒｂ＋Ｒｙ（Ｒａ＋Ｒｂ））となる。
これらの入力電圧がＡ／Ｄコンバータ５６に入力されると、Ａ／Ｄコンバータ５６の分解能が細かい程、それぞれの入力電圧の差異が明確に判別された値がＡ／Ｄ変換され出力される。この出力値によりファン異常の有無及びファン異常時にいずれのファンモータが異常であるかが明確に判別できる。
【０１４８】
図１６は、図１４に示した異常検知制御装置におけるフローチャートである。
実施例４と同様にファンモータの異常を検出した時点でいずれのファンモータが故障しているかを判別することができるため、フローについては実施例４の図１３の説明と同様である。
すなわち、図１６のフローのステップＳ１６１〜ステップＳ１６８は、図１３のフローのステップＳ１３１〜Ｓ１３８に相当し、確認動作等については図１４のＣＰＵ５１が司る。
本実施例により、ファンモータの個数が増加してもファン制御部及び異常検知部のコストアップを防ぐことができ、かつファン異常発生時においても機能限定で引き続き機械動作を稼動させることができる画像形成装置を実現することができる。
〔作用効果〕
【０１４９】
実施例１において、１つのファン制御部と１つのファン異常検知部とで複数のファンモータに対し同時制御が可能で、かつファンモータが故障した時に画像形成装置が動作中の場合であってもその時点までのジョブを有効にするため、急激に画像形成装置の機械動作を停止した時の紙ジャム停止等を防止することができる。
【０１５０】
実施例２において、いずれかのファンモータが故障しても画像形成装置としては引き続き動作可能である。
【０１５１】
実施例３において、いずれかのファンモータが故障しても機能を限定して画像形成装置として引き続き機械動作可能である。
【０１５２】
実施例４において、実施例３と同様の効果が得られる。
【０１５３】
実施例５において、実施例３と同様の効果が得られる。
【産業上の利用可能性】
【０１５４】
本発明は、画像形成装置やコンピュータ等の電子装置の異常検知制御装置、画像形成装置、異常検知制御方法、画像形成方法、異常検知制御プログラム、画像形成プログラム、及び記録媒体に利用することができる。
【図面の簡単な説明】
【０１５５】
【図１】本発明に係る異常検知制御装置を適用した画像形成装置の一例を示す概要図である。
【図２】図１に示した画像形成装置に用いられる異常検知制御装置の一例を示すブロックである。
【図３】（ａ）は、図２に示した異常検知制御装置を含む周辺回路図の一例であり、（ｂ）は、（ａ）に示したファンモータの回路図である。
【図４】図２に示した異常検知制御装置におけるフローチャートである。
【図５】図１に示した画像形成装置の異常検知制御装置の他の例を示すブロック図である。
【図６】図５に示した異常検知制御装置を含む周辺回路図の一例である。
【図７】図５に示した異常検知制御装置におけるフローチャートである。
【図８】図１に示した画像形成装置の異常検知制御装置の他の例を示すブロック図である。
【図９】図８に示した異常検知制御装置を含む周辺回路図の一例である。
【図１０】図８に示した異常検知制御装置におけるフローチャートである。
【図１１】図１に示した画像形成装置の異常検知制御装置の他の例を示すブロック図である。
【図１２】図１１に示した異常検知制御装置を含む周辺回路図の一例である。
【図１３】図１１に示した異常検知制御装置におけるフローチャートである。
【図１４】図１に示した画像形成装置の異常検知制御装置の他の例を示すブロック図である。
【図１５】図１４に示した異常検知制御装置を含む周辺回路図の一例である。
【図１６】図１４に示した異常検知制御装置におけるフローチャートである。
【符号の説明】
【０１５６】
１    画像形成装置
２    給紙部
３    読取部
４    画像形成部
５    定着部
６    排紙部
【図１】
2007206652.tif 000003
【図２】
2007206652.tif 000004
【図３】
2007206652.tif 000005
【図４】
2007206652.tif 000006
【図５】
2007206652.tif 000007
【図６】
2007206652.tif 000008
【図７】
2007206652.tif 000009
【図８】
2007206652.tif 000010
【図９】
2007206652.tif 000011
【図１０】
2007206652.tif 000012
【図１１】
2007206652.tif 000013
【図１２】
2007206652.tif 000014
【図１３】
2007206652.tif 000015
【図１４】
2007206652.tif 000016
【図１５】
2007206652.tif 000017
【図１６】
2007206652.tif 000018